(57)【特許請求の範囲】
【請求項１】
所有者の識別情報と、前記所有者を管理する管理者の識別情報とが対応付けて記憶された特定の金銭的価値情報について、前記所有者を移転する指示を受け付け、
前記所有者の移転の指示を受けた前記金銭的価値情報に対応付けて記憶された前記管理者の識別情報によって特定される宛先に、前記金銭的価値情報の移転の実行可否の問い合わせメッセージを送信し、
実行可の旨の応答を受信した場合に、前記金銭的価値情報に対応付けて記憶された前記所有者の識別情報と、前記管理者の識別情報との更新を許容し、
前記金銭的価値情報の新たな所有者による、前記金銭的価値情報の所有登録を受け付けたことに応じて、前記管理者の識別情報によって特定される宛先と、前記新たな所有者を管理する新たな管理者の識別情報によって特定される宛先に、前記金銭的価値情報の前記新たな所有者を通知する所有者登録メッセージを送信し、前記新たな所有者の識別情報と前記新たな管理者の識別情報とを前記金銭的価値情報に対応付けて記憶する更新を行う、
処理をコンピュータに実行させることを特徴とする情報管理プログラム。
【請求項２】
前記コンピュータに
前記問い合わせメッセージに対する実行可の旨の応答を受信した場合に、前記金銭的価値情報を利用不可能とし、
前記新たな所有者による前記金銭的価値情報の所有登録を受け付けたことに応じて、前記金銭的価値情報を利用可能とする、
処理を実行させることを特徴とする請求項１に記載の情報管理プログラム。
【請求項３】
前記コンピュータに
前記金銭的価値情報について、前記管理者から利用を停止する指示を受け付けたことに応じて、前記金銭的価値情報を利用不可能とする、
処理を実行させることを特徴とする請求項１または２に記載の情報管理プログラム。
【請求項４】
前記金銭的価値情報は、さらに携帯可能な記憶媒体の識別子と対応付けて記憶されることを特徴とする請求項１〜３のいずれか一つに記載の情報管理プログラム。
【請求項５】
所有者の識別情報と、前記所有者を管理する管理者の識別情報とが対応付けて記憶された特定の金銭的価値情報について、前記所有者を移転する指示を受け付け、
前記所有者の移転の指示を受けた前記金銭的価値情報に対応付けて記憶された前記管理者の識別情報によって特定される宛先に、前記金銭的価値情報の移転の実行可否の問い合わせメッセージを送信し、
実行可の旨の応答を受信した場合に、前記金銭的価値情報に対応付けて記憶された前記所有者の識別情報と、前記管理者の識別情報との更新を許容し、
前記金銭的価値情報の新たな所有者による、前記金銭的価値情報の所有登録を受け付けたことに応じて、前記管理者の識別情報によって特定される宛先と、前記新たな所有者を管理する新たな管理者の識別情報によって特定される宛先に、前記金銭的価値情報の前記新たな所有者を通知する所有者登録メッセージを送信し、前記新たな所有者の識別情報と前記新たな管理者の識別情報とを前記金銭的価値情報に対応付けて記憶する更新を行う、
処理をコンピュータが実行することを特徴とする情報管理方法。
【請求項６】
所有者の識別情報と、前記所有者を管理する管理者の識別情報とが対応付けて記憶された特定の金銭的価値情報について、前記所有者を移転する指示を受け付け、
前記所有者の移転の指示を受けた前記金銭的価値情報に対応付けて記憶された前記管理者の識別情報によって特定される宛先に、前記金銭的価値情報の移転の実行可否の問い合わせメッセージを送信し、
実行可の旨の応答を受信した場合に、前記金銭的価値情報に対応付けて記憶された前記所有者の識別情報と、前記管理者の識別情報との更新を許容し、
前記金銭的価値情報の新たな所有者による、前記金銭的価値情報の所有登録を受け付けたことに応じて、前記管理者の識別情報によって特定される宛先と、前記新たな所有者を管理する新たな管理者の識別情報によって特定される宛先に、前記金銭的価値情報の前記新たな所有者を通知する所有者登録メッセージを送信し、前記新たな所有者の識別情報と前記新たな管理者の識別情報とを前記金銭的価値情報に対応付けて記憶する更新を行う、
制御部を有する情報管理装置と、
前記情報管理装置に、前記所有者を移転する指示を送信する端末と、
前記情報管理装置から、前記問い合わせメッセージを受信する端末と、
前記情報管理装置から、前記所有者登録メッセージを受信する端末と、
を有することを特徴とする情報管理システム。
【発明の詳細な説明】
【技術分野】
【０００１】
本発明は、情報管理プログラム、情報管理方法および情報管理システムに関する。
【背景技術】
【０００２】
従来、アクティベーションにより、金銭的価値情報を有するプリペイドカードの利用を許可する技術がある。例えば、アクティベーションによりプリペイドカードの利用を許可するフラグをサーバに設定しておき、プリペイドカードを利用する際に、当該フラグに基づいて、プリペイドカードの利用を許可するか否かをサーバが判断する。また、近年、クレジットカードと同じように加盟店で利用できるプリペイドカードも普及し始めている。
【０００３】
先行技術としては、例えば、親カードの顧客データは、子カードの顧客識別情報を子識別データとして含み、子カードの利用に対してチェック（小切手）を設定して、子カードを一種のプリペイドカードの如く利用することを可能としている技術がある。
【先行技術文献】
【特許文献】
【０００４】
【特許文献１】特開２００４−９４７０８号公報
【発明の概要】
【発明が解決しようとする課題】
【０００５】
しかしながら、従来技術では、管理者の管理下で、金銭的価値情報を他人に移転することが難しい場合がある。例えば、プリペイドカードなどが有する金銭的価値情報を、親の管理化で子供に与えようとしても、子供は、親に知らせずに金銭的価値情報を友人に移転することができ、親は、当該金銭的価値情報を管理することができなくなる。
【０００６】
一つの側面では、本発明は、管理者の管理下で、金銭的価値情報を他人に移転することを可能とする情報管理プログラム、情報管理方法および情報管理システムを提供することを目的とする。
【課題を解決するための手段】
【０００７】
本発明の一側面によれば、所有者の識別情報と、管理者の識別情報とが対応付けて記憶された特定の金銭的価値情報について、前記所有者を移転する指示を受け付け、前記所有者の移転の指示を受けた前記金銭的価値情報に対応付けて記憶された前記管理者の識別情報によって特定される宛先に前記金銭的価値情報の移転に関するメッセージを送信し、前記金銭的価値情報に対応付けて記憶された前記所有者の識別情報と、前記管理者の識別情報との更新を許容する情報管理プログラム、情報管理方法および情報管理システムが提案される。
【発明の効果】
【０００８】
本発明の一態様によれば、管理者の管理下で、金銭的価値情報を他人に移転することを可能とすることができるという効果を奏する。
【図面の簡単な説明】
【０００９】
【図１】図１は、実施の形態にかかる情報管理方法の一実施例を示す説明図である。
【図２】図２は、情報管理システム２００のシステム構成例を示す説明図である。
【図３】図３は、情報管理装置１０１のハードウェア構成例を示すブロック図である。
【図４】図４は、端末Ｔｉのハードウェア構成例を示すブロック図である。
【図５】図５は、利用者管理ＤＢ２２０の記憶内容の一例を示す説明図である。
【図６】図６は、カード管理ＤＢ２３０の記憶内容の一例を示す説明図である。
【図７】図７は、対応付け管理ＤＢ２４０の記憶内容の一例を示す説明図である。
【図８】図８は、利用者番号入力画面Ｓ１の画面例を示す説明図である。
【図９】図９は、処理選択画面Ｓ２の画面例を示す説明図である。
【図１０】図１０は、カード番号入力画面Ｓ３の画面例を示す説明図である。
【図１１】図１１は、所有者登録画面Ｓ４の画面例を示す説明図である。
【図１２】図１２は、照会画面Ｓ５の画面例を示す説明図である。
【図１３】図１３は、移転通知画面Ｓ６の画面例を示す説明図である。
【図１４】図１４は、所有通知画面Ｓ７の画面例を示す説明図である。
【図１５】図１５は、情報管理装置１０１の機能的構成例を示すブロック図である。
【図１６】図１６は、情報管理装置１０１の親カード購入処理手順の一例を示すフローチャートである。
【図１７】図１７は、情報管理装置１０１の子カード購入処理手順の一例を示すフローチャートである。
【図１８】図１８は、情報管理装置１０１のカード管理処理手順の一例を示すフローチャートである。
【図１９】図１９は、情報管理装置１０１の照会処理手順の一例を示すフローチャートである。
【図２０】図２０は、情報管理装置１０１の所有処理手順の一例を示すフローチャートである。
【図２１】図２１は、情報管理装置１０１の移転処理手順の一例を示すフローチャートである。
【図２２】図２２は、情報管理装置１０１の対応付け管理ＤＢ更新処理手順の一例を示すフローチャートである。
【図２３】図２３は、情報管理装置１０１のカード管理ＤＢ２３０と対応付け管理ＤＢ２４０の更新の具体例を示す図（その１）である。
【図２４】図２４は、情報管理装置１０１のカード管理ＤＢ２３０と対応付け管理ＤＢ２４０の更新の具体例を示す図（その２）である。
【図２５】図２５は、情報管理装置１０１のカード管理ＤＢ２３０と対応付け管理ＤＢ２４０の更新の具体例を示す図（その３）である。
【図２６】図２６は、情報管理装置１０１のカード管理ＤＢ２３０と対応付け管理ＤＢ２４０の更新の具体例を示す図（その４）である。
【図２７】図２７は、情報管理装置１０１のカード管理ＤＢ２３０と対応付け管理ＤＢ２４０の更新の具体例を示す図（その５）である。
【発明を実施するための形態】
【００１０】
以下に図面を参照して、本発明にかかる情報管理プログラム、情報管理方法および情報管理システムの実施の形態を詳細に説明する。
【００１１】
（情報管理方法の一実施例）
図１は、実施の形態にかかる情報管理方法の一実施例を示す説明図である。図１において、情報管理装置１０１は、端末１１１と端末１１２に対して、金銭的価値情報の管理を提供するサーバである。端末１１１は、金銭的価値情報を利用するユーザが使用するコンピュータであり、例えば、スマートフォン、タブレット型ＰＣ（Ｐｅｒｓｏｎａｌ  Ｃｏｍｐｕｔｅｒ）、ＰＣ、ノートＰＣなどである。端末１１２は、金銭的価値情報を管理するユーザが使用するコンピュータであり、例えば、スマートフォン、タブレット型ＰＣ、ＰＣ、ノートＰＣなどである。
【００１２】
金銭的価値情報とは、店舗等で商品を購入する際に利用できる金銭に関する情報である。例えば、金銭的価値情報は、店舗等で利用可能な金額の情報である。また、金銭的価値情報は、携帯可能な記憶媒体の識別番号と対応付けられ、当該記憶媒体を店舗で提示することで、店舗等で利用できる。ここで、記憶媒体とは、データを記憶する媒体である。例えば、記憶媒体には、ＩＣ（Ｉｎｔｅｇｒａｔｅｄ  Ｃｉｒｃｕｉｔ）カード、磁気カード、フラッシュメモリ、磁気ディスク等が存在する。また、金銭的価値情報と対応付けられた携帯可能な記憶媒体として、プリペイドカードがある。
【００１３】
近年、クレジットカードと同じように加盟店で利用できるプリペイドカードが普及し始めている。この場合、親は、子供にお年玉や小遣いとして、現金の代わりにプリペイドカードを与えることもある。この際、親は、子供に与えたプリペイドカードを管理したいと考えることがある。親が子供に与えたプリペイドカードの状況を管理できるようにすることで、親は、管理者として、子供に与えたプリペイドカードの状況を管理できる。ここで、管理とは、プリペイドカードの状況を知り、プリペイドカードの状態を変更できることである。プリペイドカードの状況とは、例えば、プリペイドカードの残高、保有状態などであり、プリペイドカードの状態の変更とは、例えば、プリペイドカードを使用不可能にさせることである。
【００１４】
一方、子供が親から貰ったプリペイドカードを誰にも知らせずに友人に与えることもあり得る。例えば、友人に誕生日プレゼントとして、子供がプリペイドカードを友人に与えることがある。また、友人から商品を貰うことの対価として、子供がプリペイドカードを友人に与えることもある。
【００１５】
しかしながら、子供の親は、子供がプリペイドカードを友人に与えたことを知らない。また、プリペイドカードを貰った友人の親は、プリペイドカードを管理することができない。この場合、プリペイドカードは、プリペイドカードを貰った友人と直接関係ない管理者に管理され、この管理者によって、残高照会や使用停止されることもある。
【００１６】
そこで、本実施の形態では、管理者の管理下で、プリペイドカードを他人に移転することを可能とする情報管理方法について説明する。ここでは、金銭的価値情報を有するプリペイドカードを例にして説明する。
【００１７】
（１）情報管理装置１０１は、金銭的価値情報の所有者を移転する指示を受け付ける。ここで、移転とは、金銭的価値情報を利用する権利を他人に移すことである。例えば、所有者が、プリペイドカードを他人に渡すことである。
【００１８】
図１の例では、金銭的価値情報の所有者が、端末１１１から金銭的価値情報の移転を指示して、情報管理装置１０１が、金銭的価値情報の所有者を移転する指示を受け付けた例である。
【００１９】
（２）情報管理装置１０１は、管理者の識別情報によって特定される宛先に金銭的価値情報の移転に関するメッセージを送信する。例えば、情報管理装置１０１は、管理者のメールアドレスに、金銭的価値情報が移転される旨のメールを送信する。また、メールは、情報管理装置１０１のメーラーによって送信することができる。
【００２０】
図１の例では、情報管理装置１０１が、金銭的価値情報の管理者の端末１１２に金銭的価値情報の所有者を移転するメッセージを送信した例である。
【００２１】
（３）情報管理装置１０１は、金銭的価値情報に対応付けて記憶された所有者の識別情報と、管理者の識別情報との更新を許容する。ここで、更新は、金銭的価値情報との対応付けを解消すること、また、新しい対応付けにすることである。
【００２２】
図１の例では、情報管理装置１０１は、所有者の識別情報「３３３３」と、管理者の識別情報「２２２２」とを金銭的価値情報に対応付けて記憶した情報１２１の更新を許容する。例えば、情報管理装置１０１は、情報１２１を、新しい所有者の識別情報「７７７７」と、新しい管理者の識別情報「５５５５」とを金銭的価値情報に対応付けて記憶した情報１２２に更新することを許容する。
【００２３】
これにより、管理者は金銭的価値情報を知ることができる。また、情報管理装置１０１は、金銭的価値情報に対応付けて記憶された所有者の識別情報と、管理者の識別情報とを更新することができる。図１の例では、情報管理装置１０１は、所有者の識別情報を金銭的価値情報に対応付けて記憶した情報１２２に更新することができる。この後、情報管理装置１０１は、移転された人の管理者を金銭的価値情報に対応付けできる。
【００２４】
（情報管理システム２００のシステム構成例）
つぎに、実施の形態にかかる情報管理システム２００のシステム構成例について説明する。以下の説明では、金銭的価値情報が、携帯可能な記憶媒体の識別子と対応付けて記憶されている例を挙げて説明する。記憶媒体とは、データを記憶する媒体である。例えば、記憶媒体には、ＩＣカード、磁気カード、フラッシュメモリ、磁気ディスク等が存在する。以下の説明では、記憶媒体としてプリペイドカードを例に挙げて説明する。また、プリペイドカードを略してカードと表記することもある。
【００２５】
図２は、情報管理システム２００のシステム構成例を示す説明図である。図２において、情報管理システム２００は、情報管理装置１０１と、端末Ｔ１〜Ｔｎと、ＰＯＳ端末２０１を含む構成である（ｎは、２以上の自然数）。情報管理システム２００において、情報管理装置１０１、端末Ｔ１〜ＴｎおよびＰＯＳ端末２０１は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００２６】
ここで、情報管理装置１０１は、利用者管理ＤＢ（データベース）２２０、カード管理ＤＢ２３０および対応付け管理ＤＢ２４０を有し、金銭的価値情報の管理を行う。情報管理装置１０１は、例えば、端末Ｔ１〜ＴｎおよびＰＯＳ端末２０１に金銭的価値情報の管理サービスを提供するサーバである。各種ＤＢ２２０、２３０、２４０の記憶内容については、図５〜図７を用いて後述する。ここで、カード管理ＤＢ２３０および対応付け管理ＤＢ２４０は、図１の所有者の識別情報と、管理者の識別情報とを金銭的価値情報に対応付けて記憶した情報１２１、１２２に対応する。また、端末Ｔ１〜Ｔｎは、図１の所有者の端末１１１と管理者の端末１１２に対応する。
【００２７】
端末Ｔ１〜Ｔｎは、表示画面（例えば、後述する図４に示すディスプレイ４０６）を有し、情報管理装置１０１に金銭的価値情報の管理を要求するコンピュータである。端末Ｔ１〜Ｔｎは、例えば、ユーザが使用するスマートフォン、タブレット型ＰＣ、ＰＣ、ノートＰＣなどである。
【００２８】
以下の説明では、端末Ｔ１〜Ｔｎのうちの任意の端末を「端末Ｔｉ」と表記する場合がある（ｉ＝１，２，…，ｎ）。
【００２９】
ＰＯＳ端末２０１は、情報管理装置１０１に金銭的価値情報の管理を要求するコンピュータである。例えば、ＰＯＳ端末２０１は、プリペイドカードを販売する店舗のコンピュータである。
【００３０】
具体的には、例えば、情報管理装置１０１は、端末Ｔ１〜ＴｎおよびＰＯＳ端末２０１から各種メッセージを受信すると、カード管理ＤＢ２３０および対応付け管理ＤＢ２４０に記憶された金銭的価値情報の更新を行う。
【００３１】
（情報管理装置１０１のハードウェア構成例）
図３は、情報管理装置１０１のハードウェア構成例を示すブロック図である。図３において、情報管理装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３２】
ここで、ＣＰＵ３０１は、情報管理装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３３】
Ｉ／Ｆ３０３は、通信回線を通じてネットワーク２１０に接続され、ネットワーク２１０を介して他の装置（例えば、図２に示した端末ＴｉおよびＰＯＳ端末２０１）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００３４】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００３５】
なお、情報管理装置１０１は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００３６】
（端末Ｔｉのハードウェア構成例）
図４は、端末Ｔｉのハードウェア構成例を示すブロック図である。図４において、端末Ｔｉは、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００３７】
ここで、ＣＰＵ４０１は、端末Ｔｉの全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００３８】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００３９】
Ｉ／Ｆ４０５は、通信回線を通じてネットワーク２１０に接続され、ネットワーク２１０を介して他の装置（例えば、図２に示した情報管理装置１０１およびＰＯＳ端末２０１）に接続される。そして、Ｉ／Ｆ４０５は、ネットワーク２１０と内部のインターフェースを司り、他のコンピュータからのデータの入出力を制御する。
【００４０】
ディスプレイ４０６は、カーソル、アイコンあるいはツールボックスをはじめ、文書、画像、機能情報などのデータを表示する。ディスプレイ４０６は、例えば、液晶ディスプレイ、有機ＥＬ（Ｅｌｅｃｔｒｏｌｕｍｉｎｅｓｃｅｎｃｅ）ディスプレイ、ＣＲＴ（Ｃａｔｈｏｄｅ  Ｒａｙ  Ｔｕｂｅ）などを採用することができる。
【００４１】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００４２】
なお、端末Ｔｉは、上述した構成部のうち、例えば、ディスクドライブ４０３、ディスク４０４などを有さないことにしてもよい。また、端末Ｔｉは、上述した構成部のほか、例えば、ＳＳＤ、スキャナ、プリンタなどを有することにしてもよい。また、図２に示したＰＯＳ端末２０１についても、端末Ｔｉと同様のハードウェア構成例により実現することができる。
【００４３】
（各種ＤＢ２２０、２３０、２４０の記憶内容）
つぎに、図５〜図７を用いて各種ＤＢ２２０、２３０、２４０の記憶内容について説明する。各種ＤＢ２２０、２３０、２４０は、例えば、図３に示した情報管理装置１０１のメモリ３０２、ディスク３０５により実現される。
【００４４】
＜利用者管理ＤＢ２２０の記憶内容＞
図５は、利用者管理ＤＢ２２０の記憶内容の一例を示す説明図である。図５において、利用者管理ＤＢ２２０は、利用者番号、パスワード、氏名、性別、生年月日、管理者１利用者番号、管理者２利用者番号およびメールアドレスのフィールドを有する。利用者管理ＤＢ２２０は、各フィールドに情報を設定することで、利用者情報（例えば、利用者情報５００−１〜５００−６）をレコードとして記憶する。
【００４５】
ここで、利用者番号は、情報管理装置１０１を利用する利用者を一意に識別する識別子である。パスワードは、利用者番号により識別される利用者が情報管理装置１０１を利用する際、認証のために使用される文字列である。氏名は、利用者番号により識別される利用者の氏名である。性別は、利用者番号により識別される利用者の性である。生年月日は、利用者番号により識別される利用者の生年月日である。
【００４６】
管理者１利用者番号および管理者２利用者番号は、利用者番号により識別される利用者を管理する管理者を一意に識別する識別子である。管理者１利用者番号および管理者２利用者番号が設定されていない利用者は、利用者を管理する利用者が存在しないことを示す。また、管理者１利用者番号または管理者２利用者番号のフィールドに登録された利用者は、当該レコードの利用者に対する管理者となる。利用者管理ＤＢ２２０は管理者の識別子を２つ設定できるようになっているが、１つでもよいし、３つ以上設定できるようにしてもよい。メールアドレスは、利用者番号により識別される利用者にメッセージを送信する際の宛先である。例えば、メールアドレスは、利用者番号により識別される利用者の端末Ｔｉの電子メールアドレスである。
【００４７】
図５の例では、レコード５００−２は、利用者番号「３３３３」の利用者「山○道子」に、管理者として利用者番号「２２２２」の利用者「山○太郎」が管理者１利用者番号として設定されることを示す。
【００４８】
＜カード管理ＤＢ２３０の記憶内容＞
図６は、カード管理ＤＢ２３０の記憶内容の一例を示す説明図である。図６において、カード管理ＤＢ２３０は、カード番号、Ｐｉｎ（Ｐｅｒｓｏｎａｌ  ｉｄｅｎｔｉｆｉｃａｔｉｏｎ  ｎｕｍｂｅｒ）コード、残高、管理区分および有効化フラグのフィールドを有する。カード管理ＤＢ２３０は、各フィールドに情報を設定することで、カード情報（例えば、カード情報６００−１〜６００−５）をレコードとして記憶する。
【００４９】
ここで、カード番号は、カードを一意に識別する識別子である。Ｐｉｎコードは、カードを利用する際、認証のために使用される文字列である。残高は、カード番号で識別されるカードで利用可能な金額である。単位は、例えば円である。管理区分は、カード番号により識別されるカードの管理の有無を示すフラグである。例えば、管理区分が「１」であるとき、「管理なし」を示し、管理区分が「２」であるとき、「管理あり」を示す。
【００５０】
ここで、「管理なし」とは、カード番号により識別されるカードが、管理者によって管理されないカードであることを示す。また、「管理あり」とは、カード番号により識別されるカードが、管理者によって管理されるカードであることを示す。具体的には、「管理あり」のカードは、以下で説明する対応付け管理ＤＢ２４０によって、所有者と管理者に関連付けられた時に、利用が許可されるカードである。
【００５１】
有効化フラグは、カードの利用が許可されているか否かを示すフラグである。例えば、有効化フラグが「１」の時、カード番号により識別されるカードの利用が許可され、有効化フラグが「０」の時、カード番号により識別されるカードの利用が禁止される。
【００５２】
図６の例では、レコード６００−１は、カード番号「０００１０」で識別されるカードのＰｉｎコードは「１２３４５」であり、残高は５０、０００円で、管理なしのカードであり、カードの利用が許可されることを示す。
【００５３】
＜対応付け管理ＤＢ２４０の記憶内容＞
図７は、対応付け管理ＤＢ２４０の記憶内容の一例を示す説明図である。図７において、対応付け管理ＤＢ２４０は、カード番号、対応区分および利用者番号のフィールドを有し、各フィールドに情報を設定することで、対応付け情報（例えば、対応付け情報７００−１〜７００−５）をレコードとして記憶する。
【００５４】
ここで、カード番号は、カードを一意に識別する識別子である。対応区分は、カード番号により識別されるカードに対応付けられた利用者の区分を示すフラグである。例えば、対応区分が「１」であるとき、カード番号により識別されるカードに対応付けられた利用者は所有者であり、対応区分が「２」であるとき、カード番号により識別されるカードに対応付けられた利用者は管理者である。ここで、所有者とは、カード番号により識別されるカードを利用するために所有している者であり、管理者は、所有者が所有するカードを管理する者である。利用者番号は、カード番号により識別されるカードに対応付けられた利用者を一意に識別する識別子である。
【００５５】
図７の例では、レコード７００−１は、カード番号「０００１０」で識別されるカードは、所有者である利用者番号「２２２２」の利用者と対応付けられていることを示す。
【００５６】
（利用者番号入力画面Ｓ１の画面例）
つぎに、端末Ｔｉのディスプレイ４０６に表示される利用者番号入力画面Ｓ１の画面例について説明する。ここでは、利用者番号「３３３３」により識別される山○道子の端末Ｔｉのディスプレイ４０６に表示される利用者番号入力画面Ｓ１を例に挙げて説明する。
【００５７】
図８は、利用者番号入力画面Ｓ１の画面例を示す説明図である。図８において、利用者番号入力画面Ｓ１は、情報管理装置１０１にログインする利用者を認証するために端末Ｔｉのディスプレイ４０６に表示される操作画面である。以下の説明において、操作画面に表示されているボタン等をユーザが選択する操作としてタップ操作を行う場合を例に挙げて説明する。また、情報管理装置１０１にログインする利用者を、ログイン者と略して表記することもある。
【００５８】
利用者番号入力画面Ｓ１は、利用者番号入力項目８０１、パスワード入力項目８０２、ログインボタン８０３およびキャンセルボタン８０４を有する。
【００５９】
利用者番号入力項目８０１は、情報管理装置１０１にログインする利用者が利用者番号を入力する項目である。パスワード入力項目８０２は、情報管理装置１０１にログインする利用者がパスワードを入力する項目である。ログインボタン８０３は、利用者番号およびパスワードを情報管理装置１０１に送信するためのボタンである。キャンセルボタン８０４は、利用者番号入力画面Ｓ１に入力した内容をキャンセルするためのボタンである。
【００６０】
図８の例は、利用者「山○道子」が、利用者番号「３３３３」とパスワード「４３２１０」を入力した例である。
【００６１】
（処理選択画面Ｓ２の画面例）
つぎに、端末Ｔｉのディスプレイ４０６に表示される処理選択画面Ｓ２の画面例について説明する。図９は、処理選択画面Ｓ２の画面例を示す説明図である。図９において、処理選択画面Ｓ２は、情報管理装置１０１にログインする利用者の処理を選択するために端末Ｔｉのディスプレイ４０６に表示される操作画面である。
【００６２】
処理選択画面Ｓ２は、照会ボタン９０１、所有ボタン９０２、移転ボタン９０３および戻るボタン９０４を有する。
【００６３】
照会ボタン９０１は、利用者番号入力画面Ｓ１で入力した利用者番号の利用者が所有するカードおよび管理するカードの状態を照会し、当該カードの状態を変更する照会画面（例えば、後述の図１２に示す照会画面Ｓ５）を表示するためのボタンである。ここで、ログイン者が照会ボタン９０１をタップした場合、照会画面Ｓ５が表示される。
【００６４】
所有ボタン９０２は、利用者番号入力画面Ｓ１で入力した利用者番号の利用者が所有するカードに所有者登録を行う所有者登録画面（例えば、後述の図１１に示す所有者登録画面Ｓ４）を表示するためのボタンである。ここで、ログイン者が所有ボタン９０２をタップした場合、カード番号入力画面（例えば、後述の図１０に示すカード番号入力画面Ｓ３）を表示し、カード番号入力後、所有者登録画面Ｓ４が表示される。
【００６５】
移転ボタン９０３は、利用者番号入力画面Ｓ１で入力した利用者番号の利用者が所有するカードを移転するためのボタンである。ここで、ログイン者が移転ボタン９０３をタップした場合、カード番号入力画面（例えば、後述の図１０に示すカード番号入力画面Ｓ３）を表示し、カード番号入力後、移転処理が行われる。
【００６６】
戻るボタン９０４は、利用者番号入力画面Ｓ１に表示を戻すために使用されるボタンである。
【００６７】
ここで、情報管理装置１０１は、ログイン者に応じて処理選択画面Ｓ２を変更して表示することも可能である。例えば、ログイン者が管理者である場合、照会ボタン９０１、所有ボタン９０２および移転ボタン９０３を表示して、ログイン者が、管理者でない所有者である場合、所有ボタン９０２および移転ボタン９０３を表示することができる。照会ボタン９０１による照会処理は、管理者が行う処理であるためである。ここで、管理者でない所有者とは、利用者管理ＤＢ２２０の管理者１利用者番号または管理者２利用者番号に記載されない利用者のことである。
【００６８】
図９の例は、利用者「山○道子」の端末Ｔｉのディスプレイ４０６に、処理選択画面Ｓ２が表示された例である。
【００６９】
（カード番号入力画面Ｓ３の画面例）
つぎに、端末Ｔｉのディスプレイ４０６に表示されるカード番号入力画面Ｓ３の画面例について説明する。図１０は、カード番号入力画面Ｓ３の画面例を示す説明図である。図１０において、カード番号入力画面Ｓ３は、情報管理装置１０１にログインした利用者が所有するカードおよび管理するカードの情報を入力させるために端末Ｔｉのディスプレイ４０６に表示される操作画面である。
【００７０】
カード番号入力画面Ｓ３は、カード番号入力項目１００１、Ｐｉｎコード入力項目１００２、戻るボタン１００３、実行ボタン１００４およびキャンセルボタン１００５を有する。
【００７１】
カード番号入力項目１００１は、状態を照会し変更するカードまたは所有者登録を行うカードのカード番号を入力する項目である。Ｐｉｎコード入力項目１００２は、カード番号入力項目１００１に入力したカードのＰｉｎコードを入力する項目である。
【００７２】
戻るボタン１００３は、処理選択画面Ｓ２に表示を戻すために使用されるボタンである。実行ボタン１００４は、カード番号およびＰｉｎコードを情報管理装置１０１に送信するためのボタンである。キャンセルボタン１００５は、カード番号入力画面Ｓ３に入力した内容をキャンセルするためのボタンである。
【００７３】
図１０の例は、利用者「山○道子」が、カード番号「０００２２」とＰｉｎコード「３４５６７」を入力した例である。
【００７４】
（所有者登録画面Ｓ４の画面例）
つぎに、端末Ｔｉのディスプレイ４０６に表示される所有者登録画面Ｓ４の画面例について説明する。図１１は、所有者登録画面Ｓ４の画面例を示す説明図である。図１１において、所有者登録画面Ｓ４は、情報管理装置１０１にログインした利用者が所有者登録するために端末Ｔｉのディスプレイ４０６に表示される操作画面である。
【００７５】
所有者登録画面Ｓ４は、カード番号表示項目１１０１、管理者選択テーブル１１０２、戻るボタン１１０３、実行ボタン１１０４およびキャンセルボタン１１０５を有する。
【００７６】
カード番号表示項目１１０１は、カード番号入力画面Ｓ３のカード番号入力項目１００１で入力されたカード番号を表示する。管理者選択テーブル１１０２は、選択、氏名、利用者番号、性別および年齢のフィールドを有する。氏名、利用者番号、性別および年齢のフィールドは、ログイン者および入力されたカード番号のカードの管理者の情報が、利用者管理ＤＢ２２０から取得され、表示される。選択のフィールドでは、ログイン者に対して、本人と表示され、入力されたカード番号のカードの管理者に対して、選択された状態で表示される。ここで、選択された状態とは、選択可能な項目が選択されている状態である。例えば、選択された状態は、チェックボックスにチェックが入った状態である。
【００７７】
戻るボタン１１０３は、カード番号入力画面Ｓ３に表示を戻すために使用されるボタンである。実行ボタン１１０４は、所有処理を実行するためのボタンである。キャンセルボタン１１０５は、所有者登録画面Ｓ４に入力した内容をキャンセルするためのボタンである。
【００７８】
ここで、ログイン者が実行ボタン１１０４をタップした場合、カード管理ＤＢ２３０において、入力されたカード番号の管理区分が管理ありの「２」に、有効化フラグが利用許可の「１」になる。また、対応付け管理ＤＢ２４０に、入力されたカード番号と、ログイン者の利用者番号と、所有者「１」である対応区分のレコードが追加される。これにより、入力されたカード番号のカードは、ログイン者が所有者となり、所有者に対して、カード番号により識別されるカードの利用が許可される。
【００７９】
図１１の例は、利用者「山○道子」が、所有者登録のためカード番号入力画面Ｓ３のカード番号入力項目１００１にカード番号「０００２２」を入力後に表示される例である。管理者選択テーブル１１０２に、利用者「山○道子」とカード番号「０００２２」の管理者の情報が表示され、管理者の選択のフィールドが選択されている。
【００８０】
（照会画面Ｓ５の画面例）
つぎに、端末Ｔｉのディスプレイ４０６に表示される照会画面Ｓ５の画面例について説明する。図１２は、照会画面Ｓ５の画面例を示す説明図である。図１２において、照会画面Ｓ５は、情報管理装置１０１にログインした管理者がカードの利用を可能にするまたは不可能にするために端末Ｔｉのディスプレイ４０６に表示される操作画面である。
【００８１】
照会画面Ｓ５は、カード選択テーブル１２０１、戻るボタン１２０２、停止ボタン１２０３、復活ボタン１２０４およびキャンセルボタン１２０５を有する。
【００８２】
カード選択テーブル１２０１は、選択、カード番号、所有者、残高およびステータスのフィールドを有する。カード番号、所有者、残高およびステータスのフィールドは、ログイン者が管理するカードの情報が、カード管理ＤＢ２３０から取得され、表示される。具体的には、対応付け管理ＤＢ２４０の利用者番号がログイン者の利用者番号であるレコードのカード番号のカードの情報が、カード選択テーブル１２０１に表示される。選択のフィールドでは、ログイン者が照会を行うカードを選択するフィールドである。また、ステータスのフィールドでは、カード管理ＤＢ２３０の有効化フラグが「０」の時、停止と表示され、有効化フラグが「１」の時、空白が表示される。
【００８３】
戻るボタン１２０２は、処理選択画面Ｓ２に表示を戻すために使用されるボタンである。停止ボタン１２０３は、カード選択テーブル１２０１で選択されたカードを利用不可能にするために使用されるボタンである。復活ボタン１２０４は、カード選択テーブル１２０１で選択されたカードを利用可能にするために使用されるボタンである。キャンセルボタン１２０５は、照会画面Ｓ５に入力した内容をキャンセルするためのボタンである。
【００８４】
ここで、ログイン者が、停止ボタン１２０３をタップした場合、カード管理ＤＢ２３０において、選択されたカード番号の有効化フラグが「０」になる。これにより、選択されたカード番号のカードが利用不可能になる。また、管理者が、復活ボタン１２０４をタップした場合、カード管理ＤＢ２３０において、選択されたカード番号の有効化フラグが「１」になる。これにより、選択されたカード番号のカードが利用可能になる。
【００８５】
図１２の例は、管理者「山○太郎」が、管理するカードが表示された例である。カード番号「０００２１」のカードが選択された例である。ここで、管理者「山○太郎」の停止ボタン１２０３のタップにより、カード管理ＤＢ２３０のカード番号「０００２１」の有効化フラグが「１」から「０」に変更される。
【００８６】
（移転通知画面Ｓ６の画面例）
つぎに、端末Ｔｉのディスプレイ４０６に表示される移転通知画面Ｓ６の画面例について説明する。図１３は、移転通知画面Ｓ６の画面例を示す説明図である。図１３において、移転通知画面Ｓ６は、情報管理装置１０１が送信した管理者に移転を通知するメッセージを表示する画面である。例えば、情報管理装置１０１が電子メールで移転を通知するメッセージを送信した場合、移転通知画面Ｓ６は、電子メールを受信する機能を有する端末Ｔｉのソフトウェアにより表示される。電子メールを受信する機能を有するソフトウェアは、これ以降の説明でメーラーと略することもある。
【００８７】
移転通知画面Ｓ６は、メーラーの受信メール一覧１３０１を有する。受信メール一覧１３０１は、メーラーが受信したメールの一覧を表示し、一覧には、差出人、件名および受信日時が表示される。受信メール一覧１３０１に表示されたメールをタップすることで、メールの本文１３０２を表示することができる。
【００８８】
図１３の例は、利用者「山○道子」がカードの移転処理を行った画面例である。利用者「山○道子」が処理選択画面Ｓ２で、移転を選択し、カード番号入力画面Ｓ３でカード番号「０００２２」とＰｉｎコードとを入力し、実行ボタン１００４をタップした後、情報管理装置１０１が送信したメッセージの例である。
【００８９】
（所有通知画面Ｓ７の画面例）
つぎに、端末Ｔｉのディスプレイ４０６に表示される所有通知画面Ｓ７の画面例について説明する。図１４は、所有通知画面Ｓ７の画面例を示す説明図である。図１４において、所有通知画面Ｓ７は、情報管理装置１０１が送信した管理者に所有を通知するメッセージを表示する画面である。例えば、情報管理装置１０１が電子メールで所有を通知するメッセージを送信した場合、所有通知画面Ｓ７は、端末Ｔｉのメーラーにより表示される。
【００９０】
所有通知画面Ｓ７は、メーラーの受信メール一覧１４０１を有する。受信メール一覧１４０１は、メーラーが受信したメールの一覧を表示し、一覧には、差出人、件名および受信日時が表示される。受信メール一覧１４０１に表示されたメールをタップすることで、メールの本文１４０２を表示することができる。
【００９１】
図１４の例は、利用者「川○順子」がカードの所有処理を行った画面例である。利用者「川○順子」が処理選択画面Ｓ２で、所有を選択し、カード番号入力画面Ｓ３でカード番号「０００２２」とＰｉｎコードとを入力し、実行ボタン１００４をタップした後、情報管理装置１０１が管理者に送信したメッセージの例である。
【００９２】
（情報管理装置１０１の機能的構成例）
図１５は、情報管理装置１０１の機能的構成例を示すブロック図である。図１５において、情報管理装置１０１は、受付部１５０１と、送信部１５０２と、更新部１５０３と、を含む構成である。受付部１５０１と、送信部１５０２と、更新部１５０３とは制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００９３】
受付部１５０１は、端末ＴｉおよびＰＯＳ端末２０１から、カード管理ＤＢ２３０と対応付け管理ＤＢ２４０の更新を受け付ける。例えば、受付部１５０１は、ＰＯＳ端末２０１から、親カードの情報と利用者番号を受信して、カード管理ＤＢ２３０と対応付け管理ＤＢ２４０の更新を受け付ける。また、受付部１５０１は、ＰＯＳ端末２０１から、子カードを購入する利用者の利用者番号と子カード情報を受信して、カード管理ＤＢ２３０と対応付け管理ＤＢ２４０の更新を受け付ける。
【００９４】
また、受付部１５０１は、利用者番号入力画面Ｓ１を端末Ｔｉに表示して、端末Ｔｉからログイン情報を受信して、ログイン情報が正しいか否かの判断を行う。また、受付部１５０１は、送信部１５０２が送信した各種画面から、実行する処理を受け付ける。例えば、受付部１５０１は、処理選択画面Ｓ２から照会処理、所有処理および移転処理の実行を受け付ける。また、受付部１５０１は、カード番号入力画面Ｓ３からカード情報を受け付ける。また、受付部１５０１は、所有者登録画面Ｓ４から、所有登録の実行を受け付ける。また、受付部１５０１は、照会画面Ｓ５から、カードの停止処理および復活処理の実行を受け付ける。また、受付部１５０１は、送信部１５０２が送信した移転確認メッセージの返信を受け付ける。
【００９５】
送信部１５０２は、各種画面およびメッセージを作成して、端末Ｔｉに送信する。例えば、送信部１５０２は、処理選択画面Ｓ２、カード番号入力画面Ｓ３、所有者登録画面Ｓ４および照会画面Ｓ５を作成して、ログイン者の端末Ｔｉに送信する。また、送信部１５０２は、移転通知メッセージを作成して、移転するカードの管理者の端末Ｔｉに送信する。また、送信部１５０２は、移転確認メッセージを作成して、移転するカードの管理者の端末Ｔｉに送信することもできる。また、送信部１５０２は、所有通知メッセージを作成して、所有するカードの管理者の端末Ｔｉに送信する。
【００９６】
更新部１５０３は、受付部１５０１が受け付けた情報に基づいて、カード管理ＤＢ２３０と対応付け管理ＤＢ２４０の更新を行う。例えば、更新部１５０３は、カード管理ＤＢ２３０を、受付部１５０１が受け付けた親カード情報と子カード情報で更新する。例えば、更新部１５０３は、対応付け管理ＤＢ２４０を、受付部１５０１が受け付けた親カード情報と子カード情報と利用者番号で更新する。
【００９７】
更新部１５０３は、受付部１５０１が照会処理を受け付けた場合、照会処理を実行する。例えば、更新部１５０３は、停止を受信した場合、照会画面Ｓ５で選択されたカード番号のカードを無効化する。また、更新部１５０３は、復活を受信した場合、照会画面Ｓ５で選択されたカード番号のカードを有効化する。また、更新部１５０３は、カードの無効化または有効化を行う前に、確認画面を端末Ｔｉに表示することもできる。
【００９８】
更新部１５０３は、受付部１５０１が所有処理を受け付けた場合、所有処理を実行する。例えば、更新部１５０３は、所有者登録画面Ｓ４から実行を受け付けた場合、カード管理ＤＢ２３０を受信したカードの情報で更新する。また、更新部１５０３は、対応付け管理ＤＢ２４０を受信したカードの情報で更新し、対応付け管理ＤＢ２４０に選択された利用者番号のレコードを作成する。
【００９９】
更新部１５０３は、受付部１５０１が移転処理を受け付けた場合、移転処理を実行する。例えば、更新部１５０３は、カード管理ＤＢ２３０を受信したカード情報で更新し、対応付け管理ＤＢ２４０から受信したカード情報のレコードを削除する。
【０１００】
（情報管理装置１０１の親カード購入処理手順）
図１６は、情報管理装置１０１の親カード購入処理手順の一例を示すフローチャートである。図１６のフローチャートにおいて、まず、情報管理装置１０１は、ＰＯＳ端末２０１から親カードの情報と利用者番号を受信したか否かを判断する（ステップＳ１６０１）。ＰＯＳ端末２０１は、例えば、親カードを販売した店舗の端末である。また、親カードの情報は、例えば、親カードのカード番号、Ｐｉｎコード、残高であり、利用者番号は、親カードを購入した利用者の利用者番号である。
【０１０１】
ここで、情報管理装置１０１は、親カードの情報と利用者番号の受信を待つ（ステップＳ１６０１：Ｎｏ）。そして、情報管理装置１０１は、親カードの情報と利用者番号を受信した場合（ステップＳ１６０１：Ｙｅｓ）、カード管理ＤＢ２３０を受信した親カードの情報で更新する（ステップＳ１６０２）。
【０１０２】
例えば、情報管理装置１０１は、受信した親カードの情報に含まれるカード番号のレコードを作成し、作成したレコードに受信した親カードの情報に含まれるＰｉｎコード、残高を格納する。また、情報管理装置１０１は、親カードであるため、管理区分を「１」にして、有効化フラグを「１」にする。
【０１０３】
つぎに、情報管理装置１０１は、対応付け管理ＤＢ２４０を受信した親カード情報と利用者番号で更新する（ステップＳ１６０３）。例えば、情報管理装置１０１は、受信した親カードの情報に含まれるカード番号のレコードを作成し、作成したレコードに受信した利用者番号を格納する。また、情報管理装置１０１は、親カードであるため、対応区分を「１」にし、処理を終了する。
【０１０４】
これにより、情報管理装置１０１は、購入された親カードに関する情報を、カード管理ＤＢ２３０および対応付け管理ＤＢ２４０に格納することができる。
【０１０５】
（情報管理装置１０１の子カード購入処理手順）
図１７は、情報管理装置１０１の子カード購入処理手順の一例を示すフローチャートである。図１７のフローチャートにおいて、まず、情報管理装置１０１は、ＰＯＳ端末２０１から子カードを購入する利用者の利用者番号を受信したか否かを判断する（ステップＳ１７０１）。利用者番号は、親カードを所有し、子カードを購入する利用者の利用者番号である。
【０１０６】
ここで、情報管理装置１０１は、利用者番号の受信を待つ（ステップＳ１７０１：Ｎｏ）。そして、情報管理装置１０１は、利用者番号を受信した場合（ステップＳ１７０１：Ｙｅｓ）、子カードの購入処理が終了したか否かを判断する（ステップＳ１７０２）。ここで、子カードの購入処理が終了した場合（ステップＳ１７０２：Ｙｅｓ）、情報管理装置１０１の処理は、終了する。
【０１０７】
一方、子カードの購入処理が終了しない場合（ステップＳ１７０２：Ｎｏ）、情報管理装置１０１は、ＰＯＳ端末２０１から子カードの情報を受信する（ステップＳ１７０３）。ここで、子カードの情報は、例えば、子カードのカード番号、Ｐｉｎコード、残高である。
【０１０８】
つぎに、情報管理装置１０１は、カード管理ＤＢ２３０を受信した子カードの情報で更新する（ステップＳ１７０４）。例えば、情報管理装置１０１は、受信した子カードの情報に含まれるカード番号のレコードを作成し、作成したレコードに受信した子カードの情報に含まれるＰｉｎコード、残高を格納する。また、情報管理装置１０１は、子カードであるため、管理区分を「２」にして、有効化フラグを「０」にする。
【０１０９】
つぎに、情報管理装置１０１は、対応付け管理ＤＢ２４０を受信した子カードの情報と利用者番号で更新し（ステップＳ１７０５）、ステップＳ１７０２に戻る。例えば、情報管理装置１０１は、受信した子カードの情報に含まれるカード番号のレコードを作成し、作成したレコードに受信した利用者番号を格納する。また、情報管理装置１０１は、子カードであるため、対応区分を「２」にする。
【０１１０】
これにより、情報管理装置１０１は、購入された子カードに関する情報を、カード管理ＤＢ２３０および対応付け管理ＤＢ２４０に格納することができる。
【０１１１】
（情報管理装置１０１のカード管理処理手順）
図１８は、情報管理装置１０１のカード管理処理手順の一例を示すフローチャートである。図１８のフローチャートにおいて、まず、情報管理装置１０１は、端末からログイン情報を受信したか否かを判断する（ステップＳ１８０１）。ログイン情報は、例えば、利用者番号とパスワードである。
【０１１２】
ここで、情報管理装置１０１は、ログイン情報の受信を待つ（ステップＳ１８０１：Ｎｏ）。そして、情報管理装置１０１は、ログイン情報を受信した場合（ステップＳ１８０１：Ｙｅｓ）、ログイン情報が正しいか否かを判断する（ステップＳ１８０２）。例えば、情報管理装置１０１は、利用者管理ＤＢ２２０にログイン情報に含まれる利用者番号のレコードが存在し、このレコードのパスワードがログイン情報に含まれるパスワードと一致すると、ログイン情報が正しいと判断する。ここで、ログイン情報が正しくないと判断した場合（ステップＳ１８０２：Ｎｏ）、情報管理装置１０１の処理は、終了する。
【０１１３】
一方、ログイン情報が正しいと判断した場合（ステップＳ１８０２：Ｙｅｓ）、情報管理装置１０１は、処理選択画面Ｓ２を端末Ｔｉに表示する（ステップＳ１８０３）。情報管理装置１０１は、端末Ｔｉから照会を受信したか否かを判断する（ステップＳ１８０４）。端末Ｔｉから照会を受信した場合（ステップＳ１８０４：Ｙｅｓ）、情報管理装置１０１は、照会処理を行う（ステップＳ１８０５）。例えば、情報管理装置１０１は、処理選択画面Ｓ２で照会ボタン９０１がタップされた場合、照会を受信したと判断する。ここで、照会処理の具体的な処理手順については、図１９を用いて後述する。
【０１１４】
端末Ｔｉから照会を受信しない場合（ステップＳ１８０４：Ｎｏ）、情報管理装置１０１は、端末Ｔｉから所有を受信したか否かを判断する（ステップＳ１８０６）。端末Ｔｉから所有を受信した場合（ステップＳ１８０６：Ｙｅｓ）、情報管理装置１０１は、所有処理を行う（ステップＳ１８０７）。例えば、情報管理装置１０１は、処理選択画面Ｓ２で所有ボタン９０２がタップされた場合、所有を受信したと判断する。ここで、所有処理の具体的な処理手順については、図２０を用いて後述する。
【０１１５】
端末Ｔｉから所有を受信しない場合（ステップＳ１８０６：Ｎｏ）、情報管理装置１０１は、端末Ｔｉから移転を受信したか否かを判断する（ステップＳ１８０８）。端末Ｔｉから移転を受信した場合（ステップＳ１８０８：Ｙｅｓ）、情報管理装置１０１は、移転処理を行う（ステップＳ１８０９）。例えば、情報管理装置１０１は、処理選択画面Ｓ２で移転ボタン９０３がタップされた場合、移転を受信したと判断する。ここで、移転処理の具体的な処理手順については、図２１を用いて後述する。端末Ｔｉから移転を受信しない場合（ステップＳ１８０８：Ｎｏ）、情報管理装置１０１の処理は、終了する。
【０１１６】
これにより、情報管理装置１０１は、利用者からの指示に基づいて、照会処理、所有処理および移転処理を行い、カード管理ＤＢ２３０および対応付け管理ＤＢ２４０に格納された情報を変更することができる。
【０１１７】
（情報管理装置１０１の照会処理手順）
図１９は、情報管理装置１０１の照会処理手順の一例を示すフローチャートである。図１９のフローチャートにおいて、まず、情報管理装置１０１は、照会画面Ｓ５を作成する（ステップＳ１９０１）。例えば、情報管理装置１０１は、ログインした管理者が所有するカードおよび管理するカードを照会画面Ｓ５に表示する。情報管理装置１０１は、照会画面Ｓ５を端末Ｔｉに表示する（ステップＳ１９０２）。
【０１１８】
情報管理装置１０１は、端末Ｔｉから停止を受信したか否かを判断する（ステップＳ１９０３）。例えば、情報管理装置１０１は、照会画面Ｓ５で停止ボタン１２０３がタップされた場合、停止を受信したと判断する。端末Ｔｉから停止を受信した場合（ステップＳ１９０３：Ｙｅｓ）、情報管理装置１０１は、照会画面Ｓ５で選択されたカード番号のカードを無効化する（ステップＳ１９０４）。例えば、情報管理装置１０１は、カード管理ＤＢ２３０で、照会画面Ｓ５で選択されたカード番号のレコードの有効化フラグを「１」から「０」に変更する。この後、情報管理装置１０１の処理は、ステップＳ１９０７に移行する。
【０１１９】
ここで、情報管理装置１０１は、照会画面Ｓ５で選択されたカード番号のカードを無効化する前に、確認画面（不図示）を端末Ｔｉに表示することもできる。ここで、確認画面はＯＫボタンとキャンセルボタンが表示され、ログイン者に停止処理の実行を確認できる操作画面である。
【０１２０】
端末Ｔｉから停止を受信しない場合（ステップＳ１９０３：Ｎｏ）、情報管理装置１０１は、端末Ｔｉから復活を受信したか否かを判断する（ステップＳ１９０５）。例えば、情報管理装置１０１は、照会画面Ｓ５で復活ボタン１２０４がタップされた場合、復活を受信したと判断する。端末Ｔｉから復活を受信しない場合（ステップＳ１９０５：Ｎｏ）、情報管理装置１０１の処理は、ステップＳ１９０７に移行する。
【０１２１】
端末Ｔｉから復活を受信した場合（ステップＳ１９０５：Ｙｅｓ）、情報管理装置１０１は、照会画面Ｓ５で選択されたカード番号のカードを有効化する（ステップＳ１９０６）。例えば、情報管理装置１０１は、カード管理ＤＢ２３０で、照会画面Ｓ５で選択されたカード番号のレコードの有効化フラグを「０」から「１」に変更する。この後、変更された状態を表示するため、情報管理装置１０１は、照会画面Ｓ５を端末Ｔｉに表示する（ステップＳ１９０７）。
【０１２２】
ここで、情報管理装置１０１は、照会画面Ｓ５で選択されたカード番号のカードを有効化する前に、確認画面（不図示）を端末Ｔｉに表示することもできる。ここで、確認画面はＯＫボタンとキャンセルボタンが表示され、ログイン者に復活処理の実行を確認できる操作画面である。
【０１２３】
これにより、情報管理装置１０１は、利用者からの指示に基づいて、カード管理ＤＢ２３０の有効化フラグを変更して、カードを利用可能または利用不可能にすることができる。
【０１２４】
（情報管理装置１０１の所有処理手順）
図２０は、情報管理装置１０１の所有処理手順の一例を示すフローチャートである。図２０のフローチャートにおいて、まず、情報管理装置１０１は、カード番号入力画面Ｓ３を端末Ｔｉに表示する（ステップＳ２００１）。
【０１２５】
情報管理装置１０１は、端末Ｔｉからカードの情報を受信する（ステップＳ２００２）。カードの情報は、例えば、カード番号とＰｉｎコードである。ここで、情報管理装置１０１は、カードの情報が正しいか否かを判断することもできる。例えば、情報管理装置１０１は、カード管理ＤＢ２３０にカードの情報に含まれるカード番号のレコードが存在し、このレコードのＰｉｎコードがカードの情報に含まれるＰｉｎコードと一致すると、カードの情報が正しいと判断する。
【０１２６】
情報管理装置１０１は、カードの情報から所有者登録画面Ｓ４を作成する（ステップＳ２００３）。例えば、情報管理装置１０１は、ログイン者および入力されたカード番号の管理者の情報を、利用者管理ＤＢ２２０から取得して、所有者登録画面Ｓ４を作成する。情報管理装置１０１は、作成した所有者登録画面Ｓ４を端末Ｔｉに表示する（ステップＳ２００４）。
【０１２７】
情報管理装置１０１は、端末Ｔｉから実行を受信したか否かを判断する（ステップＳ２００５）。例えば、情報管理装置１０１は、所有者登録画面Ｓ４で実行ボタン１１０４がタップされた場合、実行を受信したと判断する。端末Ｔｉから実行を受信した場合（ステップＳ２００５：Ｙｅｓ）、情報管理装置１０１は、所有者登録のメールを送信する（ステップＳ２００６）。
【０１２８】
例えば、情報管理装置１０１は、ログイン者の管理者に、所有通知のメールを、メーラーを使用して送信する。ここで、ログイン者の管理者とは、利用者管理ＤＢ２２０でログイン者の利用者番号のレコードの管理者１利用者番号および管理者２利用者番号で特定される管理者である。また、情報管理装置１０１は、ログイン者にカードを移転した人の利用者番号を記憶しておき、ログイン者にカードを移転した人の管理者に、所有通知のメールを、メーラーを使用して送信することもできる。ここで、ログイン者にカードを移転した人の管理者は、ログイン者にカードを移転した人の利用者番号のレコードの管理者１利用者番号および管理者２利用者番号で特定される管理者である。
【０１２９】
情報管理装置１０１は、カード管理ＤＢ２３０を受信したカードの情報で更新する（ステップＳ２００７）。例えば、情報管理装置１０１は、カード管理ＤＢ２３０で、受信したカードの情報のカード番号のレコードの有効化フラグを「０」から「１」に変更する。
【０１３０】
つぎに、情報管理装置１０１は、対応付け管理ＤＢ２４０を更新する（ステップＳ２００８）。ここで、対応付け管理ＤＢ２４０の更新処理の具体的な処理手順については、図２２を用いて後述する。
【０１３１】
一方、端末Ｔｉから実行を受信しない場合（ステップＳ２００５：Ｎｏ）、情報管理装置１０１の処理は、終了する。
【０１３２】
これにより、情報管理装置１０１は、利用者からの指示に基づいて、対応付け管理ＤＢ２４０とカード管理ＤＢ２３０を変更することで、カードの有効化フラグを変更して、カードを利用可能にすることができる。
【０１３３】
（情報管理装置１０１の移転処理手順）
図２１は、情報管理装置１０１の移転処理手順の一例を示すフローチャートである。図２１のフローチャートにおいて、まず、情報管理装置１０１は、カード番号入力画面Ｓ３を端末Ｔｉに表示する（ステップＳ２１０１）。
【０１３４】
情報管理装置１０１は、端末Ｔｉからカードの情報を受信する（ステップＳ２１０２）。カードの情報は、例えば、カード番号とＰｉｎコードである。ここで、情報管理装置１０１は、カード情報が正しいか否かを判断することもできる。
【０１３５】
情報管理装置１０１は、移転確認のメールを送信する（ステップＳ２１０３）。例えば、情報管理装置１０１は、ログイン者の管理者に、移転確認のメールを、メーラーを使用して送信する。ここで、情報管理装置１０１は、移転確認のメールの代わりに、移転通知のメールを送信することができる。この場合は、移転確認を受信しないため、以下のステップＳ２１０４の処理は行われない。
【０１３６】
ここで、情報管理装置１０１は、移転確認のメールを送信する前に、確認画面（不図示）を端末Ｔｉに表示することもできる。ここで、確認画面にはＯＫボタンとキャンセルボタンが表示され、ログイン者に移転処理の実行を確認できる操作画面である。
【０１３７】
情報管理装置１０１は、移転ＯＫを受信したか否かを判断する（ステップＳ２１０４）。例えば、情報管理装置１０１は、移転確認のメールを送信した管理者から、移転ＯＫのメールを受信することにより、移転ＯＫを受信したと判断する。端末Ｔｉから移転ＯＫを受信しない場合（ステップＳ２１０４：Ｎｏ）、情報管理装置１０１の処理は、終了する。
【０１３８】
一方、移転ＯＫを受信した場合（ステップＳ２１０４：Ｙｅｓ）、情報管理装置１０１は、カード管理ＤＢ２３０を受信したカードの情報で更新する（ステップＳ２１０５）。例えば、情報管理装置１０１は、カード管理ＤＢ２３０で、受信したカードの情報のカード番号のレコードの有効化フラグを「１」から「０」に変更する。つぎに、情報管理装置１０１は、対応付け管理ＤＢ２４０から受信したカードの情報のレコードを削除する（ステップＳ２１０６）。例えば、情報管理装置１０１は、対応付け管理ＤＢ２４０で、受信したカードの情報のカード番号のレコードを削除する。
【０１３９】
これにより、情報管理装置１０１は、利用者からの指示に基づいて、対応付け管理ＤＢ２４０とカード管理ＤＢ２３０を変更することで、カードの所有者を移転することができる。
【０１４０】
（情報管理装置１０１の対応付け管理ＤＢ更新処理手順）
図２２は、情報管理装置１０１の対応付け管理ＤＢ更新処理手順の一例を示すフローチャートである。図２２のフローチャートにおいて、まず、情報管理装置１０１は、対応付け管理ＤＢ２４０を受信したカードの情報で更新する（ステップＳ２２０１）。例えば、情報管理装置１０１は、対応付け管理ＤＢ２４０で、受信したカードの情報のカード番号のレコードを作成する。この際、情報管理装置１０１は、対応区分を「２」に、利用者番号をログイン者の利用者番号に設定する。
【０１４１】
つぎに、情報管理装置１０１は、所有者登録画面Ｓ４で選択された利用者番号を取り出す（ステップＳ２２０２）。情報管理装置１０１は、対応付け管理ＤＢ２４０に選択された利用者番号のレコードを作成する（ステップＳ２２０３）。この際、情報管理装置１０１は、対応区分を「１」に、カード番号を受信したカード情報のカード番号に設定する。ここで、対応付け管理ＤＢ２４０にすでに同一のレコードが存在する場合、情報管理装置１０１は、レコードの作成を省略することもできる。
【０１４２】
情報管理装置１０１は、所有者登録画面Ｓ４から取り出していない選択された利用者番号があるか否かを確認する（ステップＳ２２０４）。取り出していない選択された利用者番号がある場合（ステップＳ２２０４：Ｙｅｓ）、情報管理装置１０１の処理は、ステップＳ２２０２に戻る。取り出していない選択された利用者番号がない場合（ステップＳ２２０４：Ｎｏ）、情報管理装置１０１の処理は、終了する。
【０１４３】
これにより、情報管理装置１０１は、利用者からの指示に基づいて、対応付け管理ＤＢ２４０を更新することができる。
【０１４４】
（カード情報の更新の具体例）
ここで、情報管理装置１０１によるカード管理ＤＢ２３０と対応付け管理ＤＢ２４０の更新の具体例を示す。図２３〜図２７は、情報管理装置１０１のカード管理ＤＢ２３０と対応付け管理ＤＢ２４０の更新の具体例を示す図である。
【０１４５】
図２３は、利用者番号「２２２２」の山○太郎が、親カードと子カードを購入した場合の具体例である。
【０１４６】
図２３の（２３−１）は、情報管理装置１０１が、ＰＯＳ端末２０１から親カードの情報と利用者番号を受信し、親カード購入処理手順でカード管理ＤＢ２３０と対応付け管理ＤＢ２４０を更新した例である。図２３の（２３−１）では、利用者番号「２２２２」の山○太郎が、カード番号「０００１０」の親カードを購入した場合である。カード管理ＤＢ２３０には、カード番号「０００１０」のレコードが作成され、管理区分に管理なし「１」が設定され、有効化フラグに利用可能「１」が設定される。また、対応付け管理ＤＢ２４０には、カード番号「０００１０」のレコードが作成され、対応区分に所有者「１」が設定され、利用者番号に購入した山○太郎の利用者番号「２２２２」が設定される。
【０１４７】
図２３の（２３−２）は、情報管理装置１０１が、ＰＯＳ端末２０１から子カードを購入する利用者の利用者番号を受信し、子カード購入処理手順でカード管理ＤＢ２３０と対応付け管理ＤＢ２４０を更新した例である。図２３の（２３−２）では、利用者番号「２２２２」の山○太郎が、カード番号「０００１０」の親カードと対応付けて、子カードを購入した場合である。
【０１４８】
カード管理ＤＢ２３０には、購入した子カードのカード番号「０００２１」〜「０００３２」のレコードが作成され、管理区分に管理あり「２」が設定され、有効化フラグに利用不可能「０」が設定される。また、対応付け管理ＤＢ２４０には、購入した子カードのカード番号「０００２１」〜「０００３２」のレコードが作成され、対応区分に管理者「２」が設定され、利用者番号に購入した山○太郎の利用者番号「２２２２」が設定される。
【０１４９】
図２４は、利用者番号「２２２２」の山○太郎が、カード番号「０００２１」と「０００２２」の子カードを、利用者番号「３３３３」の山○道子に譲渡して、山○道子が子カードを所有登録した場合の具体例である。
【０１５０】
図２４の（２４−１）〜（２４−５）は、情報管理装置１０１が、カード番号「０００２２」のカードのカード管理処理手順の所有処理を行う際に、端末Ｔｉに表示される画面の例である。
【０１５１】
図２４の（２４−１）は、端末Ｔｉに表示された利用者番号入力画面Ｓ１で、利用者番号「３３３３」の山○道子がログイン情報を入力した例である。図２４の（２４−２）は、端末Ｔｉに表示された処理選択画面Ｓ２で、山○道子が所有ボタンをタップした例である。図２４の（２４−３）は、端末Ｔｉに表示されたカード番号入力画面Ｓ３で、山○道子が所有登録するカードの情報を入力した例である。
【０１５２】
図２４の（２４−４）は、端末Ｔｉに表示された所有者登録画面Ｓ４で、山○道子が実行ボタンをタップした例である。ここで、利用者番号「３３３３」の山○道子と、山○道子の管理者である利用者番号「２２２２」の山○太郎が、所有者登録画面Ｓ４に表示される。図２４の（２４−５）は、端末Ｔｉに表示された確認画面で、山○道子がＯＫボタンをタップした例である。
【０１５３】
図２４の（２４−６）は、情報管理装置１０１が、カード番号「０００２１」と「０００２２」のカードの管理処理手順の所有処理を行い、カード管理ＤＢ２３０と対応付け管理ＤＢ２４０を更新した例である。
【０１５４】
カード管理ＤＢ２３０には、所有処理を行ったカード番号「０００２１」と「０００２２」のカードの有効化フラグに利用可能「１」が設定される。また、対応付け管理ＤＢ２４０には、カード番号「０００２１」と「０００２２」のカードのレコードが作成される。カード番号「０００２１」のカードに対して、対応区分に所有者「１」が設定され、利用者番号に所有した山○道子の利用者番号「３３３３」が設定されたレコードが追加される。カード番号「０００２２」のカードに対しても、同様である。
【０１５５】
図２５は、利用者番号「３３３３」の山○道子が、カード番号「０００２２」のカードを移転した場合の具体例である。
【０１５６】
図２５の（２５−１）〜（２５−４）は、情報管理装置１０１が、カード番号「０００２２」のカードのカード管理処理手順の移転処理を行う際に、端末Ｔｉに表示される画面の例である。
【０１５７】
図２５の（２５−１）は、端末Ｔｉに表示された利用者番号入力画面Ｓ１で、利用者番号「３３３３」の山○道子がログイン情報を入力した例である。図２５の（２５−２）は、端末Ｔｉに表示された処理選択画面Ｓ２で、山○道子が移転ボタンをタップした例である。図２５の（２５−３）は、端末Ｔｉに表示されたカード番号入力画面Ｓ３で、山○道子が移転するカードの情報を入力した例である。
【０１５８】
図２５の（２５−４）は、端末Ｔｉに表示された確認画面で、山○道子がＯＫボタンをタップした例である。
【０１５９】
図２５の（２５−５）は、情報管理装置１０１が、カード番号「０００２２」のカードの管理処理手順の移転処理を行い、カード管理ＤＢ２３０と対応付け管理ＤＢ２４０を更新した例である。
【０１６０】
カード管理ＤＢ２３０には、移転処理を行ったカード番号「０００２２」のカードの有効化フラグに利用不可能「０」が設定される。また、対応付け管理ＤＢ２４０には、カード番号「０００２２」のカードのレコードが削除される。
【０１６１】
図２６は、カード番号「０００２２」のカードを、山○道子から譲り受けた利用者番号「７７７７」の川○順子が所有登録した場合の具体例である。
【０１６２】
図２６の（２６−１）〜（２６−５）は、情報管理装置１０１が、カード番号「０００２２」のカードのカード管理処理手順の所有処理を行う際に、端末Ｔｉに表示される画面の例である。
【０１６３】
図２６の（２６−１）は、端末Ｔｉに表示された利用者番号入力画面Ｓ１で、利用者番号「７７７７」の川○順子がログイン情報を入力した例である。図２６の（２６−２）は、端末Ｔｉに表示された処理選択画面Ｓ２で、川○順子が所有ボタンをタップした例である。図２６の（２６−３）は、端末Ｔｉに表示されたカード番号入力画面Ｓ３で、川○順子が所有登録するカードの情報を入力した例である。
【０１６４】
図２６の（２６−４）は、端末Ｔｉに表示された所有者登録画面Ｓ４で、川○順子が実行ボタンをタップした例である。ここで、利用者番号「７７７７」の川○順子と、川○順子の管理者である利用者番号「５５５５」の川○英雄と利用者番号「６６６６」の川○花子が、所有者登録画面Ｓ４に表示される。図２６の（２６−５）は、端末Ｔｉに表示された確認画面で、川○順子がＯＫボタンをタップした例である。
【０１６５】
図２６の（２６−６）は、情報管理装置１０１が、カード番号「０００２２」のカードの管理処理手順の所有処理を行い、カード管理ＤＢ２３０と対応付け管理ＤＢ２４０を更新した例である。
【０１６６】
カード管理ＤＢ２３０には、所有処理を行ったカード番号「０００２２」のカードの有効化フラグに利用可能「１」が設定される。また、対応付け管理ＤＢ２４０には、カード番号「０００２２」のカードのレコードが作成される。ここで、対応区分に所有者「１」が設定され、利用者番号に所有した川○順子の利用者番号「７７７７」が設定されたレコードと、対応区分に管理者「２」が設定され、利用者番号に管理者である川○英雄の利用者番号「５５５５」が設定されたレコードが作成される。
【０１６７】
図２７は、図２４の（２４−６）の状態で、カード番号「０００２１」のカードを、利用者番号「２２２２」の山○太郎が、利用不可能にした場合の具体例である。
【０１６８】
図２７の（２７−１）〜（２７−５）は、情報管理装置１０１が、カード番号「０００２１」のカードのカード管理処理手順の照会処理を行う際に、端末Ｔｉに表示される画面の例である。
【０１６９】
図２７の（２７−１）は、端末Ｔｉに表示された利用者番号入力画面Ｓ１で、利用者番号「２２２２」の山○太郎がログイン情報を入力した例である。図２７の（２７−２）は、端末Ｔｉに表示された処理選択画面Ｓ２で、山○太郎が照会ボタンをタップした例である。図２７の（２７−３）は、端末Ｔｉに表示された照会画面Ｓ５で、山○太郎が利用不可能にするカードのカード番号「０００２１」を選択した例である。ここで、照会画面Ｓ５に、山○太郎が所有するカードと山○太郎が管理するカードの一覧が表示される。
【０１７０】
図２７の（２７−４）は、端末Ｔｉに表示された確認画面で、山○太郎がＯＫボタンをタップした例である。図２７の（２７−５）は、情報管理装置１０１が、カード番号「０００２１」のカードの管理処理手順の照会処理を行い、カード番号「０００２１」のカードを利用不可能にした際に、端末Ｔｉに表示された照会画面Ｓ５である。
【０１７１】
図２７の（２７−６）は、情報管理装置１０１が、カード番号「０００２１」のカードの管理処理手順の照会処理を行い、カード管理ＤＢ２３０を更新した例である。カード管理ＤＢ２３０には、照会処理を行ったカード番号「０００２１」のカードの有効化フラグに利用不可能「０」が設定される。
【０１７２】
以上説明したように、実施の形態にかかる情報管理装置１０１によれば、所有者の利用者番号と、管理者の利用者番号とが対応付けて記憶された金銭的価値情報について、所有者を移転する指示を受け付ける。そして、情報管理装置１０１によれば、移転の指示を受けた金銭的価値情報の管理者の利用者番号によって特定されるメールアドレスに金銭的価値情報の移転に関するメールを送信する。その後、情報管理装置１０１によれば、金銭的価値情報に対応付けて記憶された所有者の利用者番号と、管理者の利用者番号との更新を許容する。
【０１７３】
これにより、管理者は、自分が管理する金銭的価値情報の移転を知ることができる。このように、所有者を移転するとき、管理者に通知が行くため、金銭的価値情報の不正使用および防止が可能になる。また、情報管理装置１０１は、金銭的価値情報に対応付けて記憶された所有者の利用者番号と、管理者の利用者番号とを更新することができる。これにより、移転された人の管理者を金銭的価値情報に対応付けできる。
【０１７４】
また、情報管理装置１０１によれば、金銭的価値情報の移転の実行可否の問い合わせメッセージを送信し、実行可の旨の応答を受信した場合に、更新を許容することができる。
【０１７５】
これにより、情報管理装置１０１は、管理者が許可したときに、管理者の利用者番号と金銭的価値情報との対応付けを更新することができる。このため、管理者は、自分が管理する金銭的価値情報が、金銭的価値情報を所有するに値しない人に移転されることを防ぐことができる。
【０１７６】
また、情報管理装置１０１によれば、金銭的価値情報に対する新たな所有者の利用者番号と、新たな管理者の利用者番号との更新がなされた後、金銭的価値情報を利用可能とすることができる。
【０１７７】
これにより、情報管理装置１０１は、金銭的価値情報が移転された人の管理者が、金銭的価値情報を管理することができるようになった状態で、金銭的価値情報が移転された人に対して、金銭的価値情報を利用可能にする。このため、金銭的価値情報が移転された人の管理者は、金銭的価値情報を管理することができる。
【０１７８】
また、情報管理装置１０１によれば、更新がなされた後、管理者の利用者番号によって特定される宛先と新たな管理者の利用者番号によって特定される宛先に更新に関するメッセージを送信することができる。
【０１７９】
これにより、情報管理装置１０１は、移転される前の管理者と新たな管理者に、金銭的価値情報に対する新たな所有者を通知することができる。このため、移転される前の管理者は、自分が与えた金銭的価値情報が誰に所有されたか知ることができ、新たな管理者は、新たな所有者によって、金銭的価値情報が所有されたことを知ることができる。
【０１８０】
また、情報管理装置１０１によれば、金銭的価値情報について、管理者から利用を停止する指示を受け付けたことに応じて、金銭的価値情報を利用不可能にすることができる。
【０１８１】
このため、情報管理装置１０１は、金銭的価値情報を所有するに値しない人に移転された場合、金銭的価値情報が使用されることを防ぐことができる。
【０１８２】
また、金銭的価値情報は、さらに携帯可能な記憶媒体の識別子と対応付けて記憶されることができる。
【０１８３】
このため、金銭的価値情報の所有者は、店舗等で記憶媒体を提示することにより、金銭的価値情報を利用することができる。
【０１８４】
なお、本実施の形態で説明した情報管理方法は、予め用意されたプログラムをパーソナル・コンピュータやワークステーション等のコンピュータで実行することにより実現することができる。本情報管理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本情報管理プログラムは、インターネット等のネットワークを介して配布してもよい。
【０１８５】
上述した実施の形態に関し、さらに以下の付記を開示する。
【０１８６】
（付記１）所有者の識別情報と、管理者の識別情報とが対応付けて記憶された特定の金銭的価値情報について、前記所有者を移転する指示を受け付け、
前記所有者の移転の指示を受けた前記金銭的価値情報に対応付けて記憶された前記管理者の識別情報によって特定される宛先に前記金銭的価値情報の移転に関するメッセージを送信し、
前記金銭的価値情報に対応付けて記憶された前記所有者の識別情報と、前記管理者の識別情報との更新を許容する、
処理をコンピュータに実行させることを特徴とする情報管理プログラム。
【０１８７】
（付記２）前記送信する処理は、前記金銭的価値情報の移転の実行可否の問い合わせメッセージを送信し、
前記許容する処理は、実行可の旨の応答を受信した場合に、前記更新を許容することを特徴とする付記１に記載の情報管理プログラム。
【０１８８】
（付記３）前記コンピュータに
前記金銭的価値情報に対する新たな所有者の識別情報と、新たな管理者の識別情報との更新がなされた後、前記金銭的価値情報を利用可能とする、
処理を実行させることを特徴とする付記１または２に記載の情報管理プログラム。
【０１８９】
（付記４）前記コンピュータに
前記更新がなされた後、前記管理者の識別情報によって特定される宛先と前記新たな管理者の識別情報によって特定される宛先に前記更新に関するメッセージを送信する、
処理を実行させることを特徴とする付記３に記載の情報管理プログラム。
【０１９０】
（付記５）前記コンピュータに
前記金銭的価値情報について、前記管理者から利用を停止する指示を受け付けたことに応じて、前記金銭的価値情報を利用不可能とする、
処理を実行させることを特徴とする付記１〜４のいずれか一つに記載の情報管理プログラム。
【０１９１】
（付記６）前記金銭的価値情報は、さらに携帯可能な記憶媒体の識別子と対応付けて記憶されることを特徴とする付記１〜５のいずれか一つに記載の情報管理プログラム。
【０１９２】
（付記７）前記更新は、さらに前記金銭的価値情報に対する前記所有者の識別情報と、前記管理者の識別情報との対応付けを解消することを特徴とする付記１〜６のいずれか一つに記載の情報管理プログラム。
【０１９３】
（付記８）所有者の識別情報と、管理者の識別情報とが対応付けて記憶された特定の金銭的価値情報について、前記所有者を移転する指示を受け付け、
前記所有者の移転の指示を受けた前記金銭的価値情報に対応付けて記憶された前記管理者の識別情報によって特定される宛先に前記金銭的価値情報の移転に関するメッセージを送信し、
前記金銭的価値情報に対応付けて記憶された前記所有者の識別情報と、前記管理者の識別情報との更新を許容する、
処理をコンピュータに実行させる情報管理プログラムを記録したことを特徴とする前記コンピュータに読み取り可能な記録媒体。
【０１９４】
（付記９）所有者の識別情報と、管理者の識別情報とが対応付けて記憶された特定の金銭的価値情報について、前記所有者を移転する指示を受け付け、
前記所有者の移転の指示を受けた前記金銭的価値情報に対応付けて記憶された前記管理者の識別情報によって特定される宛先に前記金銭的価値情報の移転に関するメッセージを送信し、
前記金銭的価値情報に対応付けて記憶された前記所有者の識別情報と、前記管理者の識別情報との更新を許容する、
処理をコンピュータが実行することを特徴とする情報管理方法。
【０１９５】
（付記１０）所有者の識別情報と、管理者の識別情報とが対応付けて記憶された特定の金銭的価値情報について、前記所有者を移転する指示を受け付け、
前記所有者の移転の指示を受けた前記金銭的価値情報に対応付けて記憶された前記管理者の識別情報によって特定される宛先に前記金銭的価値情報の移転に関するメッセージを送信し、
前記金銭的価値情報に対応付けて記憶された前記所有者の識別情報と、前記管理者の識別情報との更新を許容する、
制御部を有する情報管理装置と、
前記情報管理装置に、前記所有者を移転する指示を送信する端末と、
前記情報管理装置から、前記金銭的価値情報の移転に関するメッセージを受信する端末と、
を有することを特徴とする情報管理システム。
【符号の説明】
【０１９６】
１０１  情報管理装置
１１１、１１２、Ｔ１〜Ｔｎ，Ｔｉ  端末
２００  情報管理システム
２０１  ＰＯＳ端末
２２０  利用者管理ＤＢ
２３０  カード管理ＤＢ
２４０  対応付け管理ＤＢ
１５０１  受付部
１５０２  送信部
１５０３  更新部
【図１】
0006589304.tif 000002
【図２】
0006589304.tif 000003
【図３】
0006589304.tif 000004
【図４】
0006589304.tif 000005
【図５】
0006589304.tif 000006
【図６】
0006589304.tif 000007
【図７】
0006589304.tif 000008
【図８】
0006589304.tif 000009
【図９】
0006589304.tif 000010
【図１０】
0006589304.tif 000011
【図１１】
0006589304.tif 000012
【図１２】
0006589304.tif 000013
【図１３】
0006589304.tif 000014
【図１４】
0006589304.tif 000015
【図１５】
0006589304.tif 000016
【図１６】
0006589304.tif 000017
【図１７】
0006589304.tif 000018
【図１８】
0006589304.tif 000019
【図１９】
0006589304.tif 000020
【図２０】
0006589304.tif 000021
【図２１】
0006589304.tif 000022
【図２２】
0006589304.tif 000023
【図２３】
0006589304.tif 000024
【図２４】
0006589304.tif 000025
【図２５】
0006589304.tif 000026
【図２６】
0006589304.tif 000027
【図２７】
0006589304.tif 000028